(57)【特許請求の範囲】
【請求項１】
所定の信号変換を行うゲートウェイ装置を介して、パケット網と回線交換網とが接続されており、前記パケット網に接続されている第１の電話端末装置と、前記パケット網及び前記回線交換網に接続されている第２の電話端末装置との通信路を第１の制御装置と第２の制御装置を用いて設定する通信路設定方法であって、
前記第２の電話端末装置は、前記パケット網に接続され、音声帯域信号とＩＰパケットとを変換する第１のポートと、前記回線交換網に接続され、音声帯域信号を送信又は受信する第２のポートとを具備し、前記第１のポートが稼働していない場合に、前記第２のポートは音声信号を前記回線交換網にバイパスし、
前記第１の制御装置が、前記パケット網を介して前記第２の電話端末装置との接続の要求を前記第１の電話端末装置から受信するステップ（Ａ）と、
前記第１の制御装置が、前記パケット網を介して前記第２の制御装置に前記接続の要求を送信するステップ（Ｂ）と、
前記第２の制御装置が、前記接続の要求に基づいて、前記第１のポートが稼動しているか否かを判定するステップ（Ｃ）と、
前記ステップ（Ｃ）において、前記第１のポートが稼動していないと判定された場合には、前記第２の制御装置が、前記ゲートウェイ装置を用いて前記パケット網と前記回線交換網と前記第２のポートとを経由する前記通信路を設定するステップ（Ｄ）と
を有し、
前記ステップ（Ｄ）において、前記第２の制御装置が、前記第２の制御装置と対応付けられた前記ゲートウェイ装置を用いて、前記通信路を設定する
ことを特徴とする通信路設定方法。
【請求項２】
前記第１の制御装置が、前記接続の要求に基づいて、前記第２の制御装置が稼動しているか否かを前記パケット網を介して判定するステップ（Ｅ）と、
前記ステップ（Ｅ）において、前記第２の制御装置が稼動していないと判定された場合には、前記第１の制御装置が、前記ゲートウェイ装置を用いて前記パケット網と前記回線交換網と前記第２のポートとを経由する前記通信路を設定するステップ（Ｆ）と
をさらに有することを特徴とする請求項１に記載の通信路設定方法。
【請求項３】
前記第１の制御装置と、前記第２の制御装置とは、前記パケット網を介して接続されていることを特徴とする請求項１に記載の通信路設定方法。
【請求項４】
前記ステップ（Ｆ）において、前記第１の制御装置が、前記第１の制御装置と対応付けられた前記ゲートウェイ装置を用いて、前記通信路を設定することを特徴とする請求項２に記載の通信路設定方法。
【請求項５】
前記第１の電話端末装置に対して、前記通信路が、前記パケット網と前記回線交換網とを経由して設定されたか、前記パケット網のみを経由して設定されたかを報知するステップをさらに有することを特徴とする請求項１乃至４の何れか一項に記載の通信路設定方法。
【請求項６】
所定の信号変換を行うゲートウェイ装置を介して、パケット網と回線交換網とが接続されており、前記パケット網に接続されている第１の電話端末装置と、前記パケット網及び前記回線交換網に接続されている第２の電話端末装置との通信路を第１の制御装置と第２の制御装置を用いて設定する通信路設定システムであって、
前記第２の電話端末装置は、前記パケット網に接続され、音声帯域信号とＩＰパケットとを変換する第１のポートと、前記回線交換網に接続され、音声帯域信号を送信又は受信する第２のポートとを具備し、前記第１のポートが稼働していない場合に、前記第２のポートは音声信号を前記回線交換網にバイパスし、
前記第１の制御装置は、
前記パケット網を介して前記第２の電話端末装置との接続の要求を前記第１の電話端末装置から受信する受信手段と、
前記パケット網を介して前記第２の制御装置に前記接続の要求を送信する要求送信手段と
を備え、
前記第２の制御装置は、
前記接続の要求に基づいて、前記第１のポートが稼動しているか否かを判定する第１の判定手段と、
前記第１の判定手段によって、前記第１のポートが稼動していないと判定された場合には、前記ゲートウェイ装置を用いて、前記パケット網と前記回線交換網と前記第２のポートとを経由する前記通信路を設定する第１の設定手段と
を備え、
前記第２の制御装置は、前記第２の制御装置と対応付けられた前記ゲートウェイ装置を用いて、前記通信路を設定する
ことを特徴とする通信路設定システム。
【請求項７】
前記第１の制御装置は、
前記接続の要求に基づいて、前記第２の制御装置が稼動しているか否かを前記パケット網を介して判定する第２の判定手段と、
前記第２の判定手段によって、前記第２の制御装置が稼動していないと判定された場合には、前記ゲートウェイ装置を用いて、前記パケット網と前記回線交換網と前記第２のポートとを経由する前記通信路を設定する第２の設定手段と
をさらに備えることを特徴とする請求項６に記載の通信路設定システム。
【請求項８】
前記第１の制御装置と、前記第２の制御装置とは、前記パケット網を介して接続されていることを特徴とする請求項６に記載の通信路設定システム。
【請求項９】
前記第２の設定手段は、前記第１の制御装置と対応付けられたゲートウェイ装置を用いて、前記通信路を設定することを特徴とする請求項７に記載の通信路設定システム。
【請求項１０】
前記第１の電話端末装置に対して、前記通信路が、前記パケット網と前記回線交換網とを経由して設定されたか、前記パケット網のみを経由して設定されたかを報知する報知手段をさらに備えることを特徴とする請求項６乃至９の何れか一項に記載の通信路設定システム。
【発明の詳細な説明】
【０００１】
【発明の属する技術分野】
本発明は、ゲートウェイ装置を介してパケット網と回線交換網とが接続されている通信ネットワークにおける電話端末装置間の通信路設定方法及び通信路設定システムに関する。
【０００２】
【従来の技術】
近年のインターネットに関する技術の進展等により、従来の回線交換網（加入者電話網、PSTN）を用いて提供される回線交換方式の電話サービスに加え、Internet Protocol（IP）をベースとしたパケット網（IP網）を用いた電話サービスが提供されている。
【０００３】
このようなパケット網を用いた電話サービスでは、当該パケット網の所定の区域と対応付けられている接続制御装置、いわゆるコールエージェント（MGC）を用いて、当該区域内の電話端末（ファクシミリ端末等を含む）に係る通信路を設定する（例えば、非特許文献１参照）。
【０００４】
また、当該電話端末は、音声帯域信号とパケット信号との変換を行うVoice over IP（VoIP）変換装置と接続されることによって、パケット信号の送受が可能となる。さらに、VoIP変換装置は、パケット網と接続されパケット信号を送受するポートと、回線交換網と接続され音声帯域信号を送受するポートとを具備している。かかるVoIP変換装置と接続されている電話端末は、パケット網及び回線交換網の両網を利用することができる。
【０００５】
さらに、通信ネットワークの広帯域化の進展により、加入者回線区間においては、電話用銅線ケーブルを利用して高速なディジタル通信を実現するxDSLモデムが普及している。このようなパケット網を用いた電話サービスの開始と、xDSLモデムの普及とに伴い、上述したVoIP変換装置の機能を内蔵するxDSLモデムも提供されている。
【０００６】
また、上述したパケット網と回線交換網とは、通信信号や呼制御（シグナリング）方式の変換を行うゲートウェイ装置を介して接続されている。パケット網と回線交換網とが接続されることにより、パケット網に接続されている電話端末と、回線交換網、すなわち加入者電話網に接続されている電話端末との間において通信を提供することができる。
【０００７】
【非特許文献１】
A. Arango, A. Duran, I. Elliott, C. Huitema, S. Pickett, Media Gateway Control Protocol (MGCP) Version 1.0, IETF RFC2705, 1999年10月
【０００８】
【発明が解決しようとする課題】
しかしながら、発信側の電話端末からの接続の要求に応じて、電話端末間の通信路を設定する場合において、着信側のVoIP変換装置のパケット網と接続されているポート、または当該着信側のVoIP変換装置に係る通信路を設定する接続制御装置が障害等により稼動していない場合、当該電話端末間にパケット網と回線交換網とを経由する通信路が設定できるにも拘わらず、当該接続の要求を処理することができず、呼損が発生するという問題があった。
【０００９】
そこで、本発明は上述の問題に鑑みてなされたものであり、電話端末からの接続の要求に応じて着信側のVoIP変換装置または接続制御装置の稼動状態を判定し、パケット網のみを経由する着信側の電話端末との通信路を設定することが困難な場合には、パケット網と回線交換網とを経由する通信路を設定することにより、呼損を防止する通信路設定方法及び通信路設定システムを提供することをその目的とする。
【００１０】
【課題を解決するための手段】
上述した課題等を解決するために、本発明は、次のような特徴を有している。まず、本発明の第１の特徴は、所定の信号変換を行うゲートウェイ装置を介して、パケット網と回線交換網とが接続されており、パケット網に接続されている第１の電話端末装置と、パケット網及び回線交換網に接続されている第２の電話端末装置との通信路を第１の制御装置と第２の制御装置を用いて設定する通信路設定方法であって、第２の電話端末装置が、パケット網に接続され、音声帯域信号とＩＰパケットとを変換する第１のポートと、回線交換網に接続され、音声帯域信号を送信又は受信する第２のポートとを具備し、第１のポートが稼働していない場合に、第２のポートは音声信号を前記回線交換網にバイパスし、第１の制御装置がパケット網を介して第２の電話端末装置との接続の要求を第１の電話端末装置から受信するステップ（Ａ）と、第１の制御装置がパケット網を介して第２の制御装置に接続の要求を送信するステップ（Ｂ）と、第２の制御装置が接続の要求に基づいて第１のポートが稼動しているか否かを判定するステップ（Ｃ）と、ステップ（Ｃ）において第１のポートが稼動していないと判定された場合には、第２の制御装置がゲートウェイ装置を用いてパケット網と回線交換網と第２のポートとを経由する通信路を設定するステップ（Ｄ）とを有し、さらにステップ（Ｄ）において、第２の制御装置が、第２の制御装置と対応付けられたゲートウェイ装置を用いて、通信路を設定することを要旨とする。
【００１１】
また、本発明の第１の特徴について、第１の制御装置と、第２の制御装置とは、パケット網を介して接続されていることが好ましい。
【００１２】
かかる特徴によれば、パケット網と接続されている着信側の電話端末装置のポートが障害等により稼動していない場合には、第２の制御装置が、パケット網と回線交換網と回線交換網に接続されている着信側の電話端末装置のポートとを経由する通信路を設定するため、パケット網と接続されているポートが稼動していない場合においても通信路の設定を中止することがなく、呼損の発生を防止することができる。
【００１３】
本発明の第２の特徴は、本発明の第１の特徴において、第１の制御装置が、接続の要求に基づいて、第２の制御装置が稼動しているか否かをパケット網を介して判定するステップ（Ｅ）と、ステップ（Ｅ）において第２の制御装置が稼動していないと判定された場合には、第１の制御装置がゲートウェイ装置を用いてパケット網と回線交換網と第２のポートとを経由する通信路を設定するステップ（Ｆ）とをさらに有することを要旨とする。
【００１４】
また、本発明の第２の特徴において、前記ステップ（Ｆ）において、前記第１の制御装置が、前記第１の制御装置と対応付けられた前記ゲートウェイ装置を用いて、前記通信路を設定することが好ましい。
【００１５】
かかる特徴によれば、第２の制御装置が障害等により稼動していない場合には、第１の制御装置が、パケット網と回線交換網と回線交換網に接続されている着信側の電話端末装置のポートとを経由する通信路を設定するため、第２の制御装置が稼動していない場合においても通信路の設定を中止することがなく、呼損の発生を防止することができる。
【００１６】
本発明の第３の特徴は、本発明の第１の特徴において、第１の電話端末装置に対して、通信路が、パケット網と回線交換網とを経由して設定されたか、パケット網のみを経由して設定されたかを報知するステップをさらに有することを要旨とする。
【００１７】
かかる特徴によれば、設定された通信路の経路が、発信側の電話端末に対して報知されるため、接続の要求を送信した電話端末の利用者は、通信路がパケット網と回線交換網とを経由して設定されたか、或いはパケット網のみを経由して設定されたかについて容易かつ即座に認識することができる。
【００１８】
本発明の第４の特徴は、所定の信号変換を行うゲートウェイ装置を介して、パケット網と回線交換網とが接続されており、パケット網に接続されている第１の電話端末装置と、パケット網及び回線交換網に接続されている第２の電話端末装置との通信路を第１の制御装置と第２の制御装置を用いて設定する通信路設定システムであって、第２の電話端末装置は、パケット網に接続され、音声帯域信号とＩＰパケットとを変換する第１のポートと、回線交換網に接続され、音声帯域信号を送信又は受信する第２のポートとを具備し、第１のポートが稼働していない場合に、第２のポートは音声信号を回線交換網にバイパスし、第１の制御装置が、パケット網を介して第２の電話端末装置との接続の要求を第１の電話端末装置から受信する受信手段と、パケット網を介して第２の制御装置に接続の要求を送信する要求送信手段とを備え、第２の制御装置が、接続の要求に基づいて、第１のポートが稼動しているか否かを判定する第１の判定手段と、第１の判定手段によって第１のポートが稼動していないと判定された場合には、ゲートウェイ装置を用いてパケット網と回線交換網と第２のポートとを経由する通信路を設定する第１の設定手段とを備え、第２の制御装置は、第２の制御装置と対応付けられたゲートウェイ装置を用いて、通信路を設定することを要旨とする。
【００１９】
また、本発明の第４の特徴において、第１の制御装置と、第２の制御装置とは、パケット網を介して接続されていることが好ましい。
【００２０】
本発明の第５の特徴は、本発明の第２の特徴において、第１の制御装置が、接続の要求に基づいて第２の制御装置が稼動しているか否かをパケット網を介して判定する第２の判定手段と、第２の判定手段によって第２の制御装置が稼動していないと判定された場合には、ゲートウェイ装置を用いてパケット網と回線交換網と第２のポートとを経由する通信路を設定する第２の設定手段とをさらに備えることすることが好ましい。
【００２１】
また、本発明の第５の特徴において、第１の設定手段が、第２の制御装置と対応付けられたゲートウェイ装置を用いて、通信路を設定することすることが好ましい。
【００２２】
本発明の第６の特徴は、本発明の第４の特徴において、第１の電話端末装置に対して、通信路が、パケット網と回線交換網とを経由して設定されたか、パケット網のみを経由して設定されたかを報知する報知手段をさらに備えることすることが好ましい。
【００２３】
【発明の実施の形態】
（本実施形態に係る通信路設定システムを含むネットワーク構成）
本発明の実施形態について、図面を参照しながら説明する。図１は、本実施形態に係る通信路設定システムを含むネットワークの概略構成図である。
【００２４】
同図に示すように、本実施形態では、音声帯域信号を送受する電話端末１２が、変換処理部２２０（第１のポート）と音声帯域信号処理部２３０（第２のポート）とを具備し、メタリック加入者回線を用いて高速なディジタル通信を行うADSLモデム２２に接続されている。なお、本実施形態では、電話端末１２とADSLモデム２２とによって、第２の電話端末装置を構成する。
【００２５】
音声帯域信号処理部２３０は、電話端末１２から受信した音声帯域信号を変換処理部２２０、或いは当該音声帯域信号に網側（スプリッタ３３）送出する。また、音声帯域信号処理部２３０は、変換処理部２２０または網側から受信した音声帯域信号を電話端末１２に送出する。
【００２６】
さらに、本実施形態に係る音声帯域信号処理部２３０は、ADSLモデム２２の電源が投入されていない場合においても、網側（スプリッタ３３）と電話端末１２との間において音声帯域信号を変換することなく疎通（バイパス）させることができるように構成されている。
【００２７】
変換処理部２２０は、音声帯域信号処理部２３０を介して電話端末１２から受信した音声帯域信号をIPパケットに変換する、いわゆるVoIP機能を有するとともに、当該IPパケットを所定のADSLモデムの規格により変調した変調信号を網側（スプリッタ３３）に送出する。また、変換処理部２２０は、網側から受信した変調信号をIPパケットに変換するとともに、音声帯域信号に変換して音声帯域信号処理部２３０に送出する。なお、ADSLモデム２２としては、例えば、ITU-T G.992.1 Annex A.ex規格に準拠したADSLモデムを用いることができる。
【００２８】
ADSLモデム２２は、音声帯域信号と変調信号を分岐或いは合成するスプリッタ３３，３４を介して、公衆電話網２（回線交換網）に接続されている。さらに、ADSLモデム２２は、変調信号とIPパケットとの変換を行う集合型ADSLモデムであるDSLAM４２を介して、VoIP網１（パケット網）に接続されている。
【００２９】
また、ADSLモデム２１は、ADSLモデム２２と同一の機能を有しており、変換処理部２００と音声帯域信号処理部２１０とを有している。電話端末１１は、ADSLモデム２１とDSLAM４１とを介して、VoIP網１に接続されている。本実施形態では、電話端末１１とADSLモデム２１とによって、第１の電話端末装置を構成する。なお、電話端末１１は、本実施形態では、公衆電話網２とは接続されていない。但し、電話端末１２と同様にスプリッタを用いることにより、公衆電話網２と接続することは勿論可能である。
【００３０】
VoIP網１は、本実施形態では、音声帯域信号が変換されたIPパケットを送受する通信ネットワークであり、受信したIPパケットをIPアドレス等に基づいて所定のポートに送信するレイヤ３スイッチである、L3SW５１，５２によって構成されている。なお、レイヤ３スイッチに代えて、ルータによってVoIP網１を構成することも勿論可能である。
【００３１】
公衆電話網２は、本実施形態では、電話交換機９１〜９４によって構成される回線交換方式を用いた通信ネットワークであり、加入電話網やPSTN（Public Switched Telephone Network）と呼ばれる電話サービス用ネットワークである。
【００３２】
また、VoIP網１と公衆電話網２とは、VoIP網１上に設けられているゲートウェイ８１及びゲートウェイ８２を介して通信可能に接続されている。具体的には、ゲートウェイ８１が電話交換機９２と、ゲートウェイ８２が電話交換機９３とそれぞれ接続されている。
【００３３】
ゲートウェイ８１とゲートウェイ８２とは、VoIP網１において送受されるIPパケットと、公衆電話網２において送受される所定のPCM信号（例えばITU-T G.711）との変換を行うことができる。また、ゲートウェイ８１とゲートウェイ８２とは、VoIP網１において用いられている呼制御プロトコル（例えばMGCP）と、公衆電話網２において用いられる共通線信号方式（例えばITU-T No.7）との変換を行うことができる。ゲートウェイ８１とゲートウェイ８２とが、上述した機能を具備することによって、本実施形態に係る通信路設定システムは、VoIP網１と公衆電話網２とを経由する通信路を提供することができる。
【００３４】
MGC６１（第１の制御装置）は、VoIP網１の所定の区域に存在する電話端末を管理し、当該所定の区域において通信路を設定するものである。MGC６１は、本実施形態では、L3SW５１に接続される電話端末１１と、ゲートウェイ８１とを管理する。また、MGC６１は、電話端末１１からの接続の要求を受信し、電話端末１２を管理するMGC６２（第２の制御装置）とともに、電話端末１１と電話端末１２との通信路を設定するものである。
【００３５】
一方、MGC６２は、本実施形態では、L3SW５２に接続される電話端末１２と、ゲートウェイ８２とを管理し、MGC６１からの接続の要求の通知に基づいて、MGC６１とともに、電話端末１１と電話端末１２との通信路を設定する。
【００３６】
また、本実施形態では、公衆電話網２のみに加入する電話端末７１が、電話交換機９１と接続されている。例えば、MGC６１が、電話端末７１との接続の要求を電話端末１１から受信した場合には、MGC６１が管理するゲートウェイ８１を介して、VoIP網１と公衆電話網２とを経由する通信路を電話端末１１と電話端末７１との間に設定する。
【００３７】
（本実施形態に係る制御装置の構成）
次に、図２及び図３を参照して、本実施形態に係る制御装置の構成について説明する。
【００３８】
図２及び図３は、本実施形態に係るMGC６１及びMGC６２の論理ブロック構成をそれぞれ示している。
【００３９】
図２に示すように、MGC６１は、送受信部６３ａと、記憶部６４ａと、判定部６５ａと、通信路設定部６６ａと、経路報知部６７とを有している。
【００４０】
送受信部６３ａは、VoIP網１を介して、電話端末１２との接続の要求を電話端末１１から受信するものであり、本実施形態では、受信手段を構成する。また、送受信部６３ａは、ADSLモデム２１、MGC６２及びゲートウェイ８１との間においてIPパケットを送受するものである。具体的には、送受信部６３ａは、100Base-TX等のLANインターフェイスによって、L3SW５１と接続され、ADSLモデム２１、MGC６２及びゲートウェイ８１とIPパケットを送受することができる。
【００４１】
記憶部６４ａは、電話端末１１に割り当てられている電話番号と、電話端末１１に接続されているADSLモデム２１に割り当てられているIPアドレスとを対応付けて記憶するものである。また、記憶部６４ａは、本実施形態では、MGC６１によって管理されるゲートウェイ８１のIPアドレスと電話端末７１の電話番号とを対応付けて記憶するとともに、MGC６２のIPアドレスを記憶する。
【００４２】
判定部６５ａは、電話端末１１からの接続の要求に基づいて、MGC６２が稼動しているか否かをVoIP網１を介して判定するものであり、本実施形態では、第２の判定手段を構成する。
【００４３】
判定部６５ａは、例えば、MGCPを用いている場合、通信路設定部６６ａがMGC６２に送信したCRCX(Create Connection)コマンドに対して所定の時間内に応答があるか否かを確認する。判定部６５ａは、例えば、当該CRCXコマンドの送信から１．５秒以内にMGC６２からの応答がない場合、MGC６２が稼動していないと判定する。判定部６５ａは、MGC６２が稼動しているか否かの判定結果を通信路設定部６６ａに対して通知する。
【００４４】
通信路設定部６６ａは、電話端末１１からの接続の要求をMGC６２にVoIP網１を介して送信するものであり、本実施形態では、要求送信手段を構成する。また、通信路設定部６６ａは、判定部６５ａによって、MGC６２が稼動していないと判定された場合には、ゲートウェイ８１を用いて、VoIP網１と、公衆電話網２と、ADSLモデム２２の音声帯域信号処理部２３０とを経由する電話端末１１と電話端末１２との通信路を設定するものであり、本実施形態では、第２の設定手段を構成する。
【００４５】
具体的には、通信路設定部６６ａは、送受信部６３ａを介して電話端末１１から受信した接続の要求に基づいて、記憶部６４ａに電話端末１２の電話番号が記憶されているか否かを確認する。記憶部６４ａに電話端末１２の電話番号が記憶されていない場合、通信路設定部６６ａは、電話端末１２は、MGC６２によって管理されているものと判断する。そこで、通信路設定部６６ａは、電話端末１１からの接続の要求をADSLモデム２１のIPアドレス及び使用するポート番号とともに、MGC６２に送信する。
【００４６】
一方、MGC６２が稼動していないと判定部６５ａによって判定された場合、通信路設定部６６ａは、電話端末１１からの当該接続の要求をADSLモデム２１のIPアドレス及び使用するポート番号とともにゲートウェイ８１に送信する。
【００４７】
さらに、通信路設定部６６ａは、電話端末１２との通信路が設定できる旨の応答をゲートウェイ８１から受信した場合、ADSLモデム２１にゲートウェイ８１のIPアドレス及び使用するポート番号を通知する。また、通信路設定部６６ａは、MGC６２から通知されたゲートウェイ８２のIPアドレス及び使用するポート番号をADSLモデム２１に通知することもできる。
【００４８】
経路報知部６７は、電話端末１１に対して、電話端末１１と電話端末１２との通信路が、VoIP網１と公衆電話網２とを経由して設定されたか、VoIP網１のみを経由して設定されたかを報知するものであり、本実施形態では、報知手段を構成する。
【００４９】
具体的には、経路報知部６７は、電話端末１１と電話端末１２との通信路をVoIP網１のみを経由して設定したか、VoIP網１と公衆電話網２とを経由して設定したかを示す情報を通信路設定部６６ａから受信する。さらに、経路報知部６７は、通信路設定部６６ａから受信した当該情報に基づいて、通信路の設定経路の種別を示すIPパケットをADSLモデム２１に送信する。ADSLモデム２１は、受信した当該IPパケットに基づいて、所定の音声帯域信号（例えば、トーン信号や音声ガイダンス）を変換処理部２００から音声帯域信号処理部２１０を介して電話端末１１に送出する。
【００５０】
経路報知部６７は、電話端末１１と電話端末１２との通信路がVoIP網１と公衆電話網２とを経由して設定された場合、例えば、MGCPに基づいて、MDCX(Modify Connection)コマンドをADSLモデム２１に２回送信する。一方、経路報知部６７は、当該通信路がVoIP網１のみを経由して設定された場合、当該MDCXコマンドを１回送信する。
【００５１】
経路報知部６７が、当該IPパケットを設定された通信路の経路に応じて送信し、ADSLモデム２１が当該IPパケットに対応する音声帯域信号を電話端末１１に送出するため、電話端末１１の利用者は、電話端末１２との通信路の経路を容易に認識することができる。また、電話端末１１の利用者は、通信路の経路を認識することにより、通話に伴い発生する通信料金の概算を予測することができる。
【００５２】
次に、図３に示すように、MGC６２は、送受信部６３ｂと、記憶部６４ｂと、判定部６５ｂと、通信路設定部６６ｂとを有している。
【００５３】
送受信部６３ｂは、ADSLモデム２２、MGC６１及びゲートウェイ８２との間においてIPパケットを送受するものである。具体的には、送受信部６３ｂは、100Base-TX等のLANインターフェイスによって、L3SW５２と接続され、ADSLモデム２２、MGC６１及びゲートウェイ８２とIPパケットを送受することができる。
【００５４】
記憶部６４ｂは、電話端末１２に割り当てられている電話番号と、電話端末１２に接続されているADSLモデム２２に割り当てられているIPアドレスとを対応付けて記憶するものである。また、記憶部６４ｂは、本実施形態では、MGC６１のIPアドレスを記憶する。
【００５５】
判定部６５ｂは、MGC６１から通知された電話端末１１からの接続要求に基づいて、ADSLモデム２２の変換処理部２２０が稼動しているか否かを判定するものであり、本実施形態では、第１の判定手段を構成する。
【００５６】
判定部６５ｂは、例えば、MGCPを用いている場合、通信路設定部６６ｂが変換処理部２２０に送信したCRCXコマンドに対して所定の時間内に応答があるか否かを確認する。判定部６５ｂは、例えば、当該CRCXコマンドの送信から１．５秒以内に変換処理部２２０からの応答がない場合、変換処理部２２０が稼動していないと判定する。判定部６５ｂは、変換処理部２２０が稼動しているか否かの判定結果を通信路設定部６６ｂに対して通知する。
【００５７】
通信路設定部６６ｂは、判定部６５ｂによって、変換処理部２２０が稼動していないと判定された場合には、ゲートウェイ８２を用いて、VoIP網１と、公衆電話網２と、ADSLモデム２２の音声帯域信号処理部２３０とを経由する電話端末１１と電話端末１２との通信路を設定するものであり、本実施形態では、第１の設定手段を構成する。
【００５８】
具体的には、通信路設定部６６ｂは、MGC６１から通知された電話端末１１からの接続の要求に基づいて、電話端末１２の電話番号と対応付けられているIPアドレスを記憶部６４ｂから取得する。通信路設定部６６ｂは、取得したIPアドレスに基づいて、ADSLモデム２２の変換処理部２２０に対して、電話端末１２を呼び出すための発信リクエスト（CRCXコマンド）を送信する。通信路設定部６６ｂは、当該発信リクエストに対する変換処理部２２０からの応答を受信した場合、VoIP網１と変換処理部２２０とを経由する電話端末１１と電話端末１２との通信路を設定する。
【００５９】
一方、変換処理部２２０が稼動していないと判定部６５ｂによって判定された場合、通信路設定部６６ｂは、電話端末１１からの当該接続の要求をADSLモデム２１のIPアドレス及び使用するポート番号とともに、MGC６２が管理するゲートウェイ８２に送信する。
【００６０】
さらに、通信路設定部６６ｂは、電話端末１２との通信路が設定できる旨の応答をゲートウェイ８２から受信した場合、MGC６１にゲートウェイ８２のIPアドレス及び使用するポート番号を通知する。
【００６１】
（本実施形態に係る通信路設定システムを用いた通信路設定方法）
次に、図４乃至図７を参照して、本実施形態に係る通信路設定システムを利用した通信路設定方法について説明する。
【００６２】
まず、図４及び図５を参照して、MGC６２が稼動していない場合における電話端末１１と電話端末１２との通信路の設定方法について説明する。
【００６３】
図４は、MGC６２が稼動していない場合における電話端末１１と電話端末１２との通信路の経路（図中に点線で表示）を示している。ここで、MGC６２が稼動していない場合とは、例えば、MGC６２に障害が発生している場合である。
【００６４】
上述したように、MGC６２が稼動していない場合、電話端末１１から送信された接続要求は、MGC６１によって受信され、MGC６１が、ゲートウェイ８１を用いて、VoIP網１と、公衆電話網２と、ADSLモデム２２の音声帯域信号処理部２３０とを経由する電話端末１１と電話端末１２との通信路を設定する。なお、図中の一点破線は、MGC６２が稼動している場合に設定される電話端末１１と電話端末１２との通信路の経路を示している。
【００６５】
図５は、図４に示されている経路によって通信路が設定される場合におけるシーケンスを示している。まず、電話端末１１は、電話端末１２の電話番号をADSLモデム２１に送出する（Ｓ１０）。ADSLモデム２１は、電話端末１１から受信した電話番号をIPパケットに変換し、電話端末１２との接続要求として、MGC６１に送信する（Ｓ２０）。当該接続要求を受信したMGC６１は、電話端末１２がMGC６２によって管理されていると判断し、当該接続の要求をMGC６２に送信する（Ｓ３０）。
【００６６】
次いで、MGC６１は、当該接続要求の送信に伴うMGC６２から応答がないことに基づいて、MGC６２が稼動していないと判定し、ゲートウェイ８１に当該接続要求を送信する（Ｓ４０）。なお、上述したように、MGC６１によるMGC６２が稼動しているか否かの判定は、MGC６１がMGC６２に送信したCRCX(Create Connection)コマンドに対して所定の時間内に応答があるか否かによって実現することができる。
【００６７】
ゲートウェイ８１は、MGC６１から受信した当該接続要求をゲートウェイ８１と接続されている電話交換機９２に送信する（Ｓ５０）。電話交換機９２から当該接続の要求を受信した電話交換機９４は、電話端末１２が通信中でないことを確認し、電話交換機９２を介して、電話端末１２との通信路を設定可能である旨ゲートウェイ８１に応答（ACK）する（Ｓ６０）。次いで、ゲートウェイ８１は、電話交換機９４から受信した応答に応じて、電話端末１２との通信路を設定可能である旨MGC６１に応答（ACK）する（Ｓ７０）。
【００６８】
また、電話交換機９４は、ゲートウェイ８１から受信した当該接続要求に基づいて、ADSLモデム２２を介して電話端末１２を呼び出す（Ｓ８０ａ）。また、MGC６１は、ステップＳ７０において受信した応答に基づいて電話端末１１にリングバックトーン（呼出信号）を送信する（Ｓ８０ｂ）。
【００６９】
次いで、電話交換機９４は、電話端末１２がステップＳ８０ａにおける呼出に応じてオフフックされたことを検知（Ｓ９０）すると、電話端末１２が呼出しに応答したことを示す応答信号をゲートウェイ８１に送信する（Ｓ１００）。ゲートウェイ８１は、電話交換機９４から電話交換機９２を介して受信した応答信号をMGC６１に送信する（Ｓ１１０）。MGC６１は、ゲートウェイ８１から受信した応答信号に応じて、ゲートウェイ８１のIPアドレス及び使用するポート番号をADSLモデム２１（変換処理部２００）に通知する（Ｓ１２０）。
【００７０】
そして、ADSLモデム２１は、電話端末１１から送出された電話端末１２宛ての音声帯域信号をIPパケットに変換するともに、MGC６１によって通知されたゲートウェイ８１のIPアドレス及びポート番号を用いて、当該ＩＰパケットをゲートウェイ８１に送信する。
【００７１】
一方、ゲートウェイ８１は、ADSLモデム２１から受信したIPパケットを公衆電話網２が処理可能なPCM信号に変換し、電話交換機９２に対して送出する。また、ゲートウェイ８１は、電話交換機９２から受信した電話端末１１宛てのPCM信号をIPパケットに変換するとともに、ステップＳ４０においてMGC６１から受信した当該接続要求に含まれるADSLモデム２１のIPアドレス及びポート番号を用いて、当該IPパケットをADSLモデム２１に送信する。このようにして、電話端末１１と電話端末１２との通信路がVoIP網１と公衆電話網２とを経由して設定され、電話端末１１と電話端末１２との通信が開始される（Ｓ１３０）。
【００７２】
次に、図６及び図７を参照して、ADSLモデム２２の変換処理部２２０が稼動していない場合における電話端末１１と電話端末１２との通信路の設定方法について説明する。
【００７３】
図６は、変換処理部２２０が稼動していない場合における電話端末１１と電話端末１２との通信路の経路（図中に点線で表示）を示している。ここで、変換処理部２２０が稼動していない場合とは、例えば、変換処理部２２０に障害が発生している場合、或いはADSLモデム２２の電源が投入されていない場合等である。なお、本実施形態に係るADSLモデム２２は、上述したように、電源が投入されていない場合においても、網側（スプリッタ３３）と電話端末１２との間において音声帯域信号を変換することなく疎通させることができるように構成されている。
【００７４】
上述したように、変換処理部２２０が稼動していない場合、電話端末１１から送信された接続要求は、MGC６１を経由してMGC６２によって受信され、MGC６２が、ゲートウェイ８２を用いて、VoIP網１と、公衆電話網２と、ADSLモデム２２の音声帯域信号処理部２３０とを経由する電話端末１１と電話端末１２との通信路を設定する。なお、図中の一点破線は、変換処理部２２０が稼動している場合に設定される電話端末１１と電話端末１２との通信路の経路を示している。
【００７５】
図７は、図６に示されている経路によって通信路が設定される場合におけるシーケンス図を示している。まず、電話端末１１は、電話端末１２の電話番号をADSLモデム２１に送出する（Ｓ１０）。ADSLモデム２１は、電話端末１１から受信した電話番号をIPパケットに変換し、電話端末１２との接続の要求として、MGC６１に送信する（Ｓ２０）。当該接続要求を受信したMGC６１は、電話端末１２がMGC６２によって管理されていると判断し、当該接続の要求をMGC６２に送信する（Ｓ３０）。
【００７６】
次いで、当該接続要求を受信したMGC６２は、電話端末１２の電話番号と対応付けられているADSLモデム２２のIPアドレスを取得し、電話端末１２を呼び出すための発信リクエストをADSLモデム２２に送信する（Ｓ４０）。
【００７７】
次いで、MGC６２は、発信リクエストの送信に伴うADSLモデム２２から応答がないため、ADSLモデム２２の変換処理部２２０が稼動していないと判定し、ゲートウェイ８２に当該接続要求を送信する（Ｓ５０）。なお、上述したように、MGC６２による変換処理部２２０が稼動しているか否かの判定は、MGC６２が変換処理部２２０に送信したCRCXコマンドに対して所定時間内に応答があるか否かによって実現することができる。
【００７８】
ゲートウェイ８２は、MGC６２から受信した当該接続要求をゲートウェイ８２と接続されている電話交換機９３に送信する（Ｓ６０）。電話交換機９３から当該接続要求を受信した電話交換機９４は、電話端末１２が通信中でないことを確認し、電話交換機９３を介して、電話端末１２との通信路を設定可能である旨ゲートウェイ８２に応答（ACK）する（Ｓ７０）。次いで、ゲートウェイ８２は、電話交換機９４から受信した応答に応じて、電話端末１２との通信路を設定可能である旨MGC６２に応答（ACK）する（Ｓ８０）。
【００７９】
さらに、MGC６２は、ゲートウェイ８２から受信した応答に応じて、電話端末１２との通信路を設定可能である旨MGC６１に応答（ACK）する（Ｓ９０）。
【００８０】
また、電話交換機９４は、ゲートウェイ８２から受信した当該接続要求に基づいて、ADSLモデム２２を介して電話端末１２を呼び出す（Ｓ１００ａ）。また、MGC６１は、ステップＳ９０において受信した応答に基づいて電話端末１１にリングバックトーン（呼出信号）を送信する（Ｓ１００ｂ）。
【００８１】
次いで、電話交換機９４は、電話端末１２がステップＳ１００ａにおける呼出に応じてオフフックされたことを検知（Ｓ１１０）すると、電話端末１２が呼出しに応答したことを示す応答信号をゲートウェイ８２に送信する（Ｓ１２０）。ゲートウェイ８２は、電話交換機９４から電話交換機９２を介して受信した応答信号をMGC６２に送信する（Ｓ１３０）。さらに、MGC６２は、ゲートウェイ８２から受信した応答信号をMGC６１に送信する（Ｓ１４０）。MGC６１は、MGC６２から受信した応答信号に応じて、ゲートウェイ８２のIPアドレス及び使用するポート番号をADSLモデム２１（変換処理部２００）に通知する（Ｓ１５０）。
【００８２】
そして、ADSLモデム２１は、電話端末１１から送出された電話端末１２宛ての音声帯域信号をIPパケットに変換するともにMGC６１によって通知されたゲートウェイ８２のIPアドレス及びポート番号を用いて、当該IPパケットをゲートウェイ８２に送信する。
【００８３】
一方、ゲートウェイ８２は、ADSLモデム２１から受信したIPパケットを公衆電話網２が処理可能なPCM信号に変換し、電話交換機９３に対して送出する。また、ゲートウェイ８２は、電話交換機９３から受信した電話端末１１宛てのPCM信号をIPパケットに変換するとともに、ステップＳ５０においてMGC６２から受信した当該接続要求に含まれるADSLモデム２１のIPアドレス及ポート番号を用いて、当該IPパケットをADSLモデム２１に送信する。このようにして、電話端末１１と電話端末１２との通信路がVoIP網１と公衆電話網２とを経由して設定され、電話端末１１と電話端末１２との通信が開始される（Ｓ１６０）。
【００８４】
（変更例）
上述した本実施形態に係る通信路設定システムを利用した通信路設定方法は、図８に示すような場合においても適用することができる。
【００８５】
図８は、ゲートウェイ８１が、障害等により稼動していない場合における電話端末１１と公衆電話網２に接続されている電話端末７１との通信路の経路（図中に点線で表示）を示している。なお、図中の一点破線は、ゲートウェイ８１が稼動している場合における電話端末１１と電話端末７１との通信路の経路を示している。
【００８６】
図８に示す構成において、ゲートウェイ８１が稼動している場合には、電話端末１１から送信された電話端末７１との接続の要求は、MGC６１によって受信され、MGC６１が、ゲートウェイ８１を用いて、VoIP網１と、公衆電話網２とを経由する電話端末１１と電話端末７１との通信路を設定する。
【００８７】
一方、ゲートウェイ８１が稼動していない場合には、MGC６１は、MGC６２に電話端末１１からの当該接続要求を通知する。MGC６２は、通知された当該接続要求に基づいて、ゲートウェイ８２を用いて、VoIP網１と、公衆電話網２とを経由する電話端末１１と電話端末７１との通信路を設定する。
【００８８】
図９は、図８に示されている経路によって通信路が設定される場合におけるシーケンスを示している。まず、電話端末１１は、電話端末７１の電話番号をADSLモデム２１に送出する（Ｓ１０）。ADSLモデム２１は、電話端末１１から受信した電話番号をIPパケットに変換し、電話端末７１との接続の要求として、MGC６１に送信する（Ｓ２０）。電話端末１１から接続の要求を受信したMGC６１は、電話端末７１の電話番号がゲートウェイ８１と対応付けられていることを確認し、当該接続要求をゲートウェイ８１に送信する（Ｓ３０）。
【００８９】
次いで、MGC６１は、当該接続要求の送信に伴うゲートウェイ８１から応答がないため、ゲートウェイ８１が稼動していないと判定し、MGC６２に当該接続要求を送信する（Ｓ４０）。なお、MGC６１によるゲートウェイ８１が稼動しているか否かは、MGC６１がゲートウェイ８１に送信したCRCXコマンドに対して所定時間内に応答があるか否かによって判定する。また、MGC６１は、電話交換機９２との間に使用可能な空きチャネルがない旨の応答（リターンコード403）をゲートウェイ８１から受信した場合にもMGC６２に当該接続要求を送信することができる。
【００９０】
さらに、MGC６２は、ゲートウェイ８２に当該接続要求を送信する（Ｓ５０）。ゲートウェイ８２は、MGC６２から受信した当該接続要求をゲートウェイ８２と接続されている電話交換機９３に送信する（Ｓ６０）。電話交換機９３から当該接続の要求を受信した電話交換機９１は、電話端末７１が通信中でないことを確認し、電話交換機９３を介して、電話端末７１との通信路を設定可能である旨ゲートウェイ８２に応答（ACK）する（Ｓ７０）。次いで、ゲートウェイ８２は、電話交換機９１から受信した応答に応じて、電話端末７１との通信路を設定可能である旨MGC６２に応答（ACK）する（Ｓ８０）。
【００９１】
さらに、MGC６２は、ゲートウェイ８２から受信した応答に応じて、電話端末１２との通信路を設定可能である旨MGC６１に応答（ACK）する（Ｓ９０）。
【００９２】
また、電話交換機９１は、ゲートウェイ８２から受信した当該接続要求に基づいて、電話端末７１を呼び出す（Ｓ１００ａ）。また、MGC６１は、ステップＳ９０において受信した応答に基づいて電話端末１１にリングバックトーン（呼出信号）を送信する（Ｓ１００ｂ）。
【００９３】
次いで、電話交換機９１は、電話端末７１がステップＳ１００ａにおける呼出に応じてオフフックされたことを検知（Ｓ１１０）すると、電話端末７１が呼出しに応答したことを示す応答信号をゲートウェイ８２に送信する（Ｓ１２０）。ゲートウェイ８２は、電話交換機９１から受信した応答信号をMGC６２に送信する（Ｓ１３０）。さらに、MGC６２は、ゲートウェイ８２から受信した応答信号をMGC６１に送信する（Ｓ１４０）。MGC６１は、MGC６２から受信した応答信号に応じて、ゲートウェイ８２のIPアドレス及び使用するポート番号をADSLモデム２１（変換処理部２００）に通知する（Ｓ１５０）。
【００９４】
そして、ADSLモデム２１は、電話端末１１から送出された電話端末７１宛ての音声帯域信号をIPパケットに変換するともに、MGC６１によって通知されたゲートウェイ８２のIPアドレス及びポート番号を用いて、当該IPパケットをゲートウェイ８２に送信する。
【００９５】
一方、ゲートウェイ８２は、ADSLモデム２１から受信したIPパケットを公衆電話網２が処理可能なPCM信号に変換し、電話交換機９３に対して送出する。また、ゲートウェイ８２は、電話交換機９３から受信した電話端末１１宛てのPCM信号をIPパケットに変換するとともに、ステップＳ５０においてMGC６１から受信した当該接続要求に含まれるADSLモデム２１のIPアドレス及びポート番号を用いて、当該IPパケットをADSLモデム２１に送信する。このようにして、電話端末１１と電話端末７１との通信路がVoIP網１と公衆電話網２とを経由して設定され、電話端末１１と電話端末７１との通信が開始される（Ｓ１６０）。
【００９６】
（本実施形態に係る通信路設定システム及び通信路設定方法による作用・効果）以上説明した本実施形態に係る通信路設定システム及び通信路設定方法によれば、VoIP網１と接続されているADSLモデム２２の変換処理部２２０が障害等により稼動していない場合には、MGC６２が、ゲートウェイ８２を介してVoIP網１と公衆電話網２とADSLモデム２２の音声帯域信号処理部２３０とを経由する通信路を設定するため、変換処理部２２０が障害等により稼動していない場合においても通信路の設定を中止することがなく、呼損の発生を防止することができる。
【００９７】
また、本実施形態によれば、MGC６２が障害等により稼動していない場合には、MGC６１が、ゲートウェイ８１を介してVoIP網１と公衆電話網２とADSLモデム２２の音声帯域信号処理部２３０とを経由する通信路を設定するため、MGC６２が稼動していない場合においても通信路の設定を中止することがなく、呼損の発生を防止することができる。
【００９８】
さらに、本実施形態によれば、設定された通信路の経路が、発信側の電話端末１１に対して報知されるため、接続の要求を送信した電話端末１１の利用者は、通信路がVoIP網１と公衆電話網２とを経由して設定されたか、或いはVoIP網１のみを経由して設定されたかについて容易かつ即座に認識することができる。
【００９９】
【発明の効果】
以上説明したように本発明によれば、電話端末からの接続の要求に応じて着信側のVoIP変換装置または接続制御装置の稼動状態を判定し、パケット網のみを経由する着信側の電話端末との通信路を設定することが困難な場合には、パケット網と回線交換網とを経由する通信路を設定することにより、呼損を防止する通信路設定方法及び通信路設定システムを提供することができる。
【図面の簡単な説明】
【図１】本発明の実施形態に係る通信路設定システムを含むネットワーク構成図である。
【図２】本発明の実施形態に係る制御装置（MGC）の論理ブロック構成図である。
【図３】本発明の実施形態に係る制御装置（MGC）の論理ブロック構成図である。
【図４】本発明の実施形態に係る制御装置が稼動していない場合における通信路の設定経路を示す図である。
【図５】本発明の実施形態に係る制御装置が稼動していない場合における通信路の設定シーケンスを示す図である。
【図６】本発明の実施形態に係るADSLモデムの変換処理部が稼動していない場合における通信路の設定経路を示す図である。
【図７】本発明の実施形態に係るADSLモデムの変換処理部が稼動していない場合における通信路の設定シーケンスを示す図である。
【図８】本発明の実施形態に係るゲートウェイ装置が稼動していない場合における通信路の設定経路を示す図である。
【図９】本発明の実施形態に係るゲートウェイ装置が稼動していない場合における通信路の設定シーケンスを示す図である。
【符号の説明】
１…VoIP網
２…公衆電話網
１１，１２…電話端末
２１，２２…ADSLモデム
３１，３２，３３，３４…スプリッタ
４１，４２…DSLAM
５１，５２…Ｌ３ＳＷ
６１，６２…MGC
６３ａ，６３ｂ…送受信部
６４ａ，６４ｂ…記憶部
６５ａ，６５ｂ…判定部
６６ａ，６６ｂ…通信路設定部
６７…経路報知部
７１…電話端末
８１，８２…ゲートウェイ
９１，９２，９３，９４…電話交換機
２１０，２３０…音声帯域信号処理部
２２０，２４０…変換処理部
【図１】
0004368120.tif 000002
【図２】
0004368120.tif 000003
【図３】
0004368120.tif 000004
【図４】
0004368120.tif 000005
【図５】
0004368120.tif 000006
【図６】
0004368120.tif 000007
【図７】
0004368120.tif 000008
【図８】
0004368120.tif 000009
【図９】
0004368120.tif 000010